(57)【要約】【課題】本発明は、様々な有形物の力量測定に対応でき、測定者の測定バラツキを軽減し、誰でもが同じ精度で測定できる上、操作が簡単で安価な力量測定装置を提供することである。【解決手段】本発明は、メカシリンダ２とフォースゲージ１とを一対に組み合わせ、前記フォースゲージ１の感知部１ａに被検体物３の力量を伝えることで、力量値の変動を読み取るプログラムを有する情報処理装置４を備え、前記情報処理装置４には前記メカシリンダ２の動作速度と加速度を設定する速度設定モードと、前記メカシリンダの移動する位置を設定する移動動作設定モードを備え、前記速度設定と移動動作設定の組み合わせにより力量測定ができる力量測定装置Ａである。【選択図】  図１
2012008075.tif 000002
【特許請求の範囲】
【請求項１】
入力される移動指令に基づき上下に可動するメカシリンダと、力量を感知し数値で表示するフォースゲージとを一対に組み合わせ、前記メカシリンダによる押力または引力から前記フォースゲージの感知部に被検体物の力量を伝えることで、力量値の変動を読み取る    プログラムを有する情報処理装置に接続可能な力量測定装置であって、前記情報処理装置には前記メカシリンダの動作速度の範囲を０．０１ｍｍ／秒から１２５ｍｍ／秒の間で設定できる設定画面と、加速度の範囲を０．００１Ｇから０．５Ｇの間で設定できる設定画面と、前記メカシリンダの移動位置を多数設定できる設定画面を移動動作設定モードに備え、速度と加速度と移動位置の組み合わせにより力量測定ができることを特徴とする力量測定装置。
【請求項２】
前記移動動作設定モードに動作を繰り返すための繰返し回数が設定できることを特徴とする請求項１記載の力量測定装置。
【請求項３】
解析開始位置と解析終了位置の設定範囲内での最大ピーク値を表示する解析モードが備えたことを特徴とする請求項１または請求項２に記載の力量測定装置。
【請求項４】
前記最大応力値に到達する手前の山ピーク値や谷ピーク値を表示する解析モードが備えたことを特徴とする請求項１または請求項３のいずれか１項に記載の力量測定装置。
【請求項５】
前記解析開始位置から解析終了位置の設定範囲内で測定したデータ値をグラフとして表示する機能を備えるとともに、前記グラフ上に解析モード名とピーク値を表示させることを特徴とする請求項１乃至請求項４のいずれか１項に記載の力量測定装置。
【請求項６】
力量設定値の範囲を超えると動作が停止する安全停止モードが備えられたことを特徴とする請求項１乃至請求項５のいずれか１項に記載の力量測定装置。
【請求項７】
最大ピーク値や山ピーク値、谷ピーク値以外の解析モードを自在に組み込めるようにプログラム追加登録機能を備えたことを特徴とする請求項１乃至請求項６のいずれか１項に記載の力量測定装置。
【発明の詳細な説明】
【技術分野】
【０００１】
本発明は、有形物の様々な力量を測ることができる力量測定装置に関するものである。
【背景技術】
【０００２】
超音波モータを回転させてボルダを下動し、該ボルダに取着したフォースゲージを、基台上に載置した卵に押しつけて卵殻の強度を計測し、フォースゲージが卵殻の強度を計測すると同時に制御部が超音波モータを停止させる卵殻強度計が特許文献１に記載されている。
【０００３】
また、端子問電圧検出部の結果に応じ、フォースモータ制御部とのフィードバックループを開放して、被検スイッチに一定の試験荷重を印加するスイッチ耐久試験装置が特許文献２に記載されている。
【０００４】
更に、フォースゲージの測定軸にかかった荷重を検出するロードセルと検出信号に基づいて剥離力を算出するマイクロコンピュータを有し、フォースゲージの測定軸に板バネを介して試料ホルダーを固定し、第１粘着性試料を第２粘着性試料に圧着した際の板バネの変形により試料ホルダーを測定軸が延在する方向にのみ可動可能にした粘着力測定装置が特許文献３に記載されている。
【先行技術文献】
【特許文献】
【０００５】
【特許文献１】特開平１０−６２３２５号公報
【特許文献２】特開２００３−１７２６７４号公報
【特許文献３】特開２００５−７７３６３号公報
【発明の概要】
【発明が解決しようとする課題】
【０００６】
従来、有形物の硬度や軟度、粘着力や弾力などの力量や、有形物を繰り返し押圧した時の耐久性や破壊強度などを測定する場合、特許文献１の卵殻強度計や特許文献２のスイッチ耐久試験装置並びに、特許文献３の粘着力測定装置などのように対象となる有形物が限定された中で開発された専用の力を測る測定装置が使用されている。これは、一般的に販売されている計測スタンドへデジタルフォースゲージを取り付けた力量測定装置を使用した場合、個々の有形物が保有する特性が異なる上、測定したい力の範囲が有形物によって異なることから適正な数値を読み取って把握することは、熟練とそれに見合う注意深さ、それ相当の測定作業時間が必要となり測定者の測定数値のバラツキが常に課題としてあがっていた。そこで、測定者のバラツキを軽減し、誰でもが同じ精度で測定できる力量測定装置として、測るための有形物の限定を行った、特許文献１の卵殻強度計や特許文献２のスイッチ耐久試験装置並びに、特許文献３の粘着力測定装置など、有形物を限定することで測定精度と測定者による測定バラツキを軽減できる様々な力量測定装置が発明されている。
【０００７】
しかし、前途にあげた有形物を限定して開発された様々な力量測定装置は、測定できる有形物が限定されるので、異なる有形物を精度よく測定することができない欠点がある。また、測定者の測定バラツキを軽減し、誰でもが同じ精度で測定できるようにするためには、専用の力量測定装置を使用する必要があり、測定したい有形物が多くなると、有形物ごとに専用の力量測定装置をそろえなればといけず、コストアップとなる課題がある。
【０００８】
本発明の目的は、上記課題を解決し、様々な有形物の力量測定に対応でき、測定者の測定バラツキを軽減し、誰でもが同じ精度で測定できる上、操作が簡単で安価な力量測定装置を提供することである。
【課題を解決するための手段】
【０００９】
入力される移動指令に基づき上下に可動するメカシリンダと、力量を感知し数値で表示するフォースゲージとを一対に組み合わせ、前記メカシリンダによる押力または引力から前記フォースゲージの感知部に被検体物の力量を伝えることで、力量値の変動を読み取る    プログラムを有する情報処理装置に接続可能な力量測定装置であって、前記情報処理装置には前記メカシリンダの動作速度の範囲を０．０１ｍｍ／秒から１２５ｍｍ／秒の間で設定できる設定画面と、加速度の範囲を０．００１Ｇから０．５Ｇの間で設定できる設定画面と、前記メカシリンダの移動位置を多数設定できる設定画面を移動動作設定モードに備え、速度と加速度と移動位置の組み合わせにより力量測定ができる力量測定装置である。
【００１０】
前記移動動作設定モードに動作を繰り返すための繰返し回数が設定できる力量測定装置である。
【００１１】
解析開始位置と解析終了位置の設定範囲内での最大ピーク値を表示する解析モードが備えた力量測定装置である。
【００１２】
前記最大応力値に到達する手前の山ピーク値や谷ピーク値を表示する解析モードが備えた力量測定装置である。
【００１３】
前記解析開始位置から解析終了位置の設定範囲内で測定したデータ値をグラフとして表示する機能を備えるとともに、前記グラフ上に解析モード名とピーク値を表示させる力量測定装置である。
【００１４】
力量設定値の範囲を超えると動作が停止する安全停止モードが備えられた力量測定装置である。
【００１５】
最大ピーク値や山ピーク値、谷ピーク値以外の解析モードを自在に組み込めるようにプログラム追加登録機能を備えたことを特徴とする請求項１乃至請求項６のいずれか１項に記載の力量測定装置である。
【発明の効果】
【００１６】
本発明は、入力される移動指令に基づき上下に可動するメカシリンダと、力量を感知し数値で表示するフォースゲージとを一対に組み合わせ、前記メカシリンダによる押力または引力から前記フォースゲージの感知部に被検体物の力量を伝えることで、力量値の変動を読み取る    プログラムを有する情報処理装置に接続可能な力量測定装置であって、前記情報処理装置には前記メカシリンダの動作速度の範囲を０．０１ｍｍ／秒から１２５ｍｍ／秒の間で設定できる設定画面と、加速度の範囲を０．００１Ｇから０．５Ｇの間で設定できる設定画面と、前記メカシリンダの移動位置を多数設定できる設定画面を移動動作設定モードに備え、速度と加速度と移動位置の組み合わせにより力量測定ができる力量測定装置であるので、様々な有形物の力量測定に対応でき、測定者の測定バラツキを軽減し、誰でもが同じ精度で測定でき、操作が簡単で安価な力量測定装置を提供することである。
【００１７】
また、前記移動動作設定モードに動作を繰り返すための繰返し回数が設定できる力量測定装置であるので、押しボタン式のスイッチやキーボードなどのキーのようなものの耐久性や押す力の変化を把握したい時などに活用出来る機能を備えた力量測定装置を提供することである。
【００１８】
解析開始位置と解析終了位置の設定範囲内での最大ピーク値を表示する解析モードが備えた力量測定装置であるので、前記最大ピーク値をコンピュータが認識し数値で表示する機能を有する力量測定装置を提供することである。
【００１９】
前記最大応力値に到達する手前の山ピーク値や谷ピーク値を表示する解析モードが備えた力量測定装置であるので、どのような変化が表れたのかを数値の変化で読み取り解析することができる力量測定装置を提供することである。
【００２０】
前記解析開始位置から解析終了位置の設定範囲内で測定したデータ値をグラフとして表示する機能を備えるとともに、前記グラフ上に解析モード名とピーク値を表示させる力量測定装置であるので、表示されたグラフを確認するだけで、どのような変動が表れているのかをグラフをみただけで、誰でもが把握し解析することができる力量測定装置を提供することである。
【００２１】
力量設定値の範囲を超えると動作が停止する安全停止モードが備えられた力量測定装置であるので、破壊したくない被検体物や謝って手指を挟み込んだ場合でも、安全に使用できる力量測定装置を提供することである。
【００２２】
最大ピーク値や山ピーク値、谷ピーク値以外の解析モードを自在に組み込めるようにプログラム追加登録機能を備えた力量測定装置であるので、嵌合強度や破壊強度、剥離強度や耐久性強度、弾性力強度などの一般的に考えられる測定以外の有形物を対象とした特殊な力量測定であっても、プログラム追加登録機能を設けているので、独自にプログラムを追加登録することで、様々な力量を解析することが可能となる力量測定装置を提供することである。
【図面の簡単な説明】
【００２３】
【図１】本発明の実施形態１を示す概略構成図である。
【図２】図１を動作した状態を示す概略構成図である。
【図３】モニタの画面に表示される移動動作設定と解析設定を示すイメージ図である。
【図４】モニタの画面に表示される測定解析結果を示すイメージ図である。
【発明を実施するための形態】
【００２４】
図１及び図２において、本発明の力量測定装置Ａは、ステッピングモーターにより駆動するメカシリンダ２と前記メカシリンダ２による押力または引力から力量を感知部１ａで感知し数値で表示するデジタルフォースゲージ１と動作を制御し力量値の変動を読み取るプログラムを有する情報処理装置４からなる力量測定装置Ａである。前記メカシリンダ２とデジタルフォースゲージ１は、一軸の動きで被検体物３の力量の測定ができるようにするため、図１に示すように、一軸のライン上に、メカシリンダ２とデジタルフォースゲージ１を一対に組み合わせて設置し、コンピュータなどの情報処理装置４からの指令により、上下または、左右に押力したり引力したりする装置となる。デジタルフォースゲージ１は、ＵＳＢケーブルなどの接続部材によりコンピュータなどの情報処理装置４へ接続される。また、メカシリンダ２は、シリアル接続により直接コンピュータなどの情報処理装置４へ接続してもよく、また、ＵＳＢ−シリアル変換器を利用してＵＳＢケーブルなどの接続部材によりコンピュータなどの情報処理装置４へ接続を行ってもよい。前記コンピュータなどの情報処理装置４には、メカシリンダ２へ移動指令を伝えるためにキーボードやゲームパット６、マウスなどが接続されている。
【００２５】
図１及び図３に示すように、動作を制御し力量値の変動を読み取り解析するプログラムが前記情報処理装置４内に組み込まれている。前記プログラムには、メカシリンダ２をどのような速度や加速度で、どのようなタイミングで、どれぐらい可動させるのかなどを、前もって指定したり選択することができる移動動作設定モード７ａする設定画面７をモニタ５へ表示し設定することができる。図３に示すように、モニタ５内に写し出された前記移動動作設定モード７ａを利用して予め決められた条件を指定したり選択することで、誰もが同じ条件のもと同じ精度で力量測定を、ボタン１つをプッシュするなどの簡単操作で実施することができる。
【００２６】
例えば、図３に示す設定画面７の中に、前記メカシリンダ２の動作速度を０．０１ｍｍ／秒から１２５ｍｍ／秒の間で速度を入力または選択できる移動速度項目が、移動動作設定モード７ａ内に備えられている。また、０．００１Ｇから０．５Ｇの間の加速度を入力または選択できる加速度項目が移動動作設定モード７ａ内に備えられている。更に、前記情報処理装置４から移動速度と加速度をメカシリンダ２に指令することで、メカシリンダ２が指令の内容に従い可動を行うことができる。更に、メカシリンダ２が動作を開始する前の待機位置の設定をする場合、図３に示すように、画面の中の名称に待機位置と入力し、動作開始前にメカシリンダ２をどの位置で停止させておくか、適正な待機位置を画面の中の移動先項目に直接数値を入力することも可能であるが、直接数値を入力せずゲームパット６などの十字キーで上昇または下降させることにより設定することもできる。加速度については基本値の０．５Ｇが入力されているが、数値を変更することも可能である。
【００２７】
次に、図３に示すように、メカシリンダ２の次の動作の設定を２行目へ行う。例えば、容器と蓋の嵌合値を測りたい場合は、名称に嵌合と入力し、先程のメカシリンダ２の待機位置からどの範囲まで、メカシリンダ２を上昇または下降をさせることで嵌合されるのかその位置を移動先の距離、移動速度、加速度などを入れる。２行目で設定した動作の次にどのような動作を実施させるのか、３行目へ設定を実施する。例えば、３行目の動作設定例として、２行目で嵌合値の測定動作を実施したので、測定終了後の位置から待機位置まで戻る時の設定を行う。この場合、戻るだけでの動作になるので、移動速度と加速度は最高値の移動速度１２５ｍｍ／秒、加速度０．５Ｇに設定しておくと、測定時間の短縮ができる。４行目以上の動作設定を移動動作設定モード７ａへ登録する場合は、各行に設けられた行の挿入項目の中の挿入ボタンをゲームパット６などの決定ボタンでプッシュすることで、選択した行の下へ新しい未入力のものが挿入されることになる。不要であれば、各行に設けられた行の削除項目の中の削除ボタンで不要な行を削除することも可能である。
【００２８】
以上のように、本発明の力量測定装置Ａは、前記メカシリンダ２の移動位置毎に移動先を多数設定できる設定画面７が移動動作設定モード７ａの移動先項目として備えている。前記移動先項目には、直接移動する位置を数値やゲームパット６などの十字キーで指定位置まで移動させることで、移動位置が設定できるところと、一度登録した移動位置を再度指定したい時に、例えば一つ目の動作位置、二つ目の動作位置、三つ目の動作位置から再び、二つ目の動作位置に戻りたい場合などに、２と数値を選択することで、指定した動作を実行することができる。
【００２９】
よって、移動速度と加速度と移動先の組み合わせにより膨大なバリエーションの動作組み合わせ可能となり、様々な要求にそえることができる力量測定装置Ａとなる。例えば、破壊強度や引張力強度、粘着力や弾性力、果物の熟し具合や、食パンやゼリーなどの柔らかさなど様々な被検体物３の力量測定に対応できる力量測定装置Ａとして提供することができる。また、被検体物３専用に開発された高額な装置を数台保有せずとも、本発明の力量測定装置１台で様々な有形物の力量測定に対応できるのであるので設備コストの削減ができ、更に、測定者の測定バラツキをなくし、誰でもが同じ精度で測定でき、操作が簡単で安価な力量測定装置Ａを提供することが可能である。
【００３０】
本発明の力量測定装置Ａには、図３に示すように、前記移動動作設定モード７ａに動作を繰り返すための繰返し回数を入力または選択できる繰返し回数項目が備えられている。例えば、押しボタン式のスイッチやキーボードなどのキーのようなものの耐久性などを把握したい時に繰返し回数項目に繰返す回数を数値で入力したり、予め登録されている数値から繰返し回数を選択して選ぶことにより、前記移動動作設定モード７ａ内に登録した条件を繰返し動作させる機能を備えた力量測定装置Ａである。
【００３１】
また、本発明の力量測定装置Ａには、図３に示すように、前記移動動作設定モード７ａに測定動作直前にデジタルフォースゲージ１を０にリセットするゼロリセット項目を備えている。例えば、押しボタン式のスイッチやキーボードなどのキーのようなものの耐久性などを把握したい時などに１回目の測定が終わったあと１回目のピーク値は表示されたままとなるが、２回目の測定に入る前などに、デジタルフォースゲージ１を自動で０にリセットする機能を備えることで、繰返し正確な数値を自動で取得していくことが可能になる。また、ゼロリセット機能は、ゲームパット６などのボタンキーに予め割り当てることにより、手動で操作する場合にボタンキーをワンプッシュする操作のみで、誰でも簡単にフォースゲージの値を０にすることも可能である。
【００３２】
更に、本発明の力量測定装置Ａには、図３に示すように、前記移動動作設定モード７ａに前記移動動作前の待ち時間をタイマー設定するか、しないかを選択できるタイマー使用項目とタイマー使用する場合にタイマーの待ち時間を設定する、待ち時間項目が備えられている。例えば、容器などにキャップを嵌め込む作業をするようなオートメーション化された工程内でタイマー使用をすることで、容器とキャップのセット作業をしながら、同時に嵌合値を測ることが可能な力量測定装置Ａを提供することができる。
【００３３】
また、本発明の力量測定装置Ａには、設定画面７の中に、図３に示すように解析設定モード７ｂが設けられている。前記解析設定モード７ｂには、予め３つの解析モードが解析モード７ｂ３項目の中で選択できるように備えられている。１つ目は、図３及び図４のグラフ内に示すように、最大ピーク値ｋ１を表示する解析モード７ｂである。前記解析設定モード７ｂの位置Ａ項目には解析開始位置を入力し、前記解析設定モード７ｂの位置Ｂ項目には解析終了位置を入力することで、前記解析開始位置と前記解析終了位置の設定範囲内での最大ピーク値ｋ１を表示する解析モード７ｂが備えられている。よって、最大ピーク値ｋ１を選択すれば、解析範囲内での最大応力値をコンピュータが認識して表示を行うため、例えば、被検体物のき裂先端の応力値を読み取ることも可能であり、破壊強度や材料の曲げ強度などの力量測定に使用できる力量測定装置Ａである。
【００３４】
更に、前記解析モード７ｂ３には、図３及び図４のグラフ内に示すように前記最大応力値に到達する手前の山ピーク値ｋ２や谷ピーク値ｋ３を表示する解析モード７ｂ３が備えられている。例えば、容器にキャップを嵌める場合、容器とキャップが嵌合しようとするためにアンダーカットとなる凸部を乗り越えようとした時にもっとも力量がかかる応力値を山ピーク値ｋ２として読み取ることができるものである。また、容器とキャップがアンダーカットとなる凸部を乗り越えて、容器とキャップがあたってお互いに嵌め合いが進まなくなる手前であって、力量がいったん落ち、そこから再び立ち上がり力量が増していくところの、力量が落ちた谷部分となるところを谷ピーク値ｋ３として読み取ることができる。１つの被検体物に対して、複数箇所のピーク値を測定したい場合は、１度の測定で複数の解析モード７ｂ３を設定することも可能で、例えば、解析設定モード７ｂの１行目に山ピーク値ｋ２、２行目に谷ピーク値ｋ３、３行目に最大モードを登録しておくことで、各々のピーク値を取得することができるものである。これによって、破壊強度や嵌合強度が同時に測定できたり、弾性力強度や粘着力などの力量測定に使用できる力量測定装置Ａである。
【００３５】
また、前記解析設定モード７ｂには、図３に示すように閾値を設定できる判定値モード項目が備えられてする。閾値とは、ユーザーの使い方や好み、動作環境により大きく異なり、プログラムを制御するために一意に決めることが難しい動作条件を与えるための情報であるパラメータに対して使用する値である。コンピュータに的確な指示をするためには、ユーザーの使い方や好み、動作環境などにより大きく異なってしまう場合などにその値を境にして上にまたは下に越えることで、動作や応答が変わるような場合に、測定者自身が閾値を決めて入力する場所を前記解析設定モード７ｂの判定値モード項目として設けている。閾値となる判定値モードの決め方の参考例としては、測定者が想定するピークを判定できる解析モードを測定して取得した数値や力量の変化を表したグラフなどから読み取り判断することで、測定者自身が閾値となる判定値を決定することができる。
【００３６】
更に、前記解析開始位置から解析終了位置の設定範囲内で測定した力量変化を取得したデータ値をグラフ表示８ａする機能を図４に示す解析結果表示画面８に備えている。また、前記グラフ表示８ａ内に解析モード名とピーク値を表示させることができるので、前記グラフ表示８ａを確認するだけで、どのような力量変動が表れているのかを把握し解析することができる力量測定装置Ａである。
【００３７】
更に、図４に示す解析結果表示画面８のデータ項目には、図３に示す解析モード７ｂ３で選択した解析結果を数値で表示する解析結果ピーク値表示８ｂが備えられている。また、解析結果表示画面８の中でも、図３に示した解析設定モード７ｂで設定した内容を確認することが可能な移動動作設定モード表示８ｃが表示される。前記移動動作設定モード表示８ｃは、表示されているだけでなく、解析結果表示画面８上で設定条件を変更することが可能になるように設定されている。
【００３８】
また、図３に示すように、解析設定モード７ｂの判定値モード項目には、判定値が結果判定値内になった場合測定を中止する機能が備えられている。結果判定値から数値がはずれた時点で測定が中止されるので、測定動作が停止し安全停止モードとして機能する効果を備えている。よって、破壊したくない被検体物や誤って手指を挟み込んでしまうような被検体物を測定する場合でも、前もって、判定値モードに測定中止を選択しておけば、結果判定値から数値がはずれた時点で測定が中止されるので、誰でもが安全に使用できる力量測定装置Ａを提供することができる。更に、本発明の力量測定装置Ａの装置本体自体にも、安全停止ボタンが備えられているので、安心である。
【００３９】
また、本発明の力量測定装置Ａの装置本体は、図１及び図２に示すようにパソコンなどの前記情報処理装置４内にＵＳＢ接続することができ、測定して取得したデータ値を測定名称毎にフォルダーを作成し、前記フォルダー内にＣＡＶ形式で保存することができる機能を備えた力量測定装置Ａである。よって、ＣＡＶ形式で読み取れるソフトウェアを使用することで、取得したデータを外部へ書き出して活用することができる。
【００４０】
更に、最大ピーク値ｋ１や山ピーク値ｋ２、谷ピーク値ｋ３以外の解析モード７ｂ３を自在に組み込めるようにプログラム追加登録機能を図３に示す解析設定モード７ｂの解析モード７ｂ３に備えている。前記解析モード７ｂ３の中にあるその他のピーク値を選択することで、新規の解析モード７ｂ３のプログラムを登録できる画面が表示される。これを利用することにより、最大ピーク値ｋ１や山ピーク値ｋ２、谷ピーク値ｋ３以外の解析モード７ｂ３を自在に組み込めるようにできるものである。よって、嵌合強度や破壊強度、剥離強度や耐久性強度、弾性力強度などの一般的に考えられる測定以外の有形物を対象とした特殊な力量測定であっても、プログラム追加登録機能を設けているので、独自にプログラムを追加登録することで、様々な力量を解析モード７ｂ３へ登録することが可能となり、使い勝手の良い力量測定装置Ａを提供することができる。
【符号の説明】
【００４１】
１      デジタルフォースゲージ
１ａ    感知部
２      メカシリンダ
３      被検体物
４      情報処理装置
５      モニタ
６      ゲームパット
６ａ    十字キー
６ｂ    ボタンキー
７      設定画面
７ａ    移動動作設定モード
７ｂ    解析設定モード
７ｂ１  解析開始位置
７ｂ２  解析終了位置
７ｂ３  解析モード
８      解析結果表示画面
８ａ    解析結果グラフ表示
８ｂ    解析結果ピーク値表示
８ｃ    移動動作設定モード表示
Ａ      力量測定装置
ａ      ＵＳＢハブ
ｂ      ＵＳＢ−シリアル変換器
ｋ−１  最大ピーク値
ｋ−２  山ピーク値
ｋ−３  谷ピーク値
【図１】
2012008075.tif 000003
【図２】
2012008075.tif 000004
【図３】
2012008075.tif 000005
【図４】
2012008075.tif 000006
【手続補正書】
【提出日】平成22年7月22日(2010.7.22)
【手続補正１】
【補正対象書類名】明細書
【補正対象項目名】全文
【補正方法】変更
【補正の内容】
【発明の詳細な説明】
【技術分野】
【０００１】
本発明は、有形物の様々な力量を測ることができる力量測定装置に関するものである。
【背景技術】
【０００２】
超音波モータを回転させてボルダを下動し、該ボルダに取着したフォースゲージを、基台上に載置した卵に押しつけて卵殻の強度を計測し、フォースゲージが卵殻の強度を計測すると同時に制御部が超音波モータを停止させる卵殻強度計が特許文献１に記載されている。
【０００３】
また、端子問電圧検出部の結果に応じ、フォースモータ制御部とのフィードバックループを開放して、被検スイッチに一定の試験荷重を印加するスイッチ耐久試験装置が特許文献２に記載されている。
【０００４】
更に、フォースゲージの測定軸にかかった荷重を検出するロードセルと検出信号に基づいて剥離力を算出するマイクロコンピュータを有し、フォースゲージの測定軸に板バネを介して試料ホルダーを固定し、第１粘着性試料を第２粘着性試料に圧着した際の板バネの変形により試料ホルダーを測定軸が延在する方向にのみ可動可能にした粘着力測定装置が特許文献３に記載されている。
【先行技術文献】
【特許文献】
【０００５】
【特許文献１】特開平１０−６２３２５号公報
【特許文献２】特開２００３−１７２６７４号公報
【特許文献３】特開２００５−７７３６３号公報
【発明の概要】
【発明が解決しようとする課題】
【０００６】
従来、有形物の硬度や軟度、粘着力や弾力などの力量や、有形物を繰り返し押圧した時の耐久性や破壊強度などを測定する場合、特許文献１の卵殻強度計や特許文献２のスイッチ耐久試験装置並びに、特許文献３の粘着力測定装置などのように対象となる有形物が限定された中で開発された専用の力を測る測定装置が使用されている。これは、一般的に販売されている計測スタンドへデジタルフォースゲージを取り付けた力量測定装置を使用した場合、個々の有形物が保有する特性が異なる上、測定したい力の範囲が有形物によって異なることから適正な数値を読み取って把握することは、熟練とそれに見合う注意深さ、それ相当の測定作業時間が必要となり測定者の測定数値のバラツキが常に課題としてあがっていた。そこで、測定者のバラツキを軽減し、誰でもが同じ精度で測定できる力量測定装置として、測るための有形物の限定を行った、特許文献１の卵殻強度計や特許文献２のスイッチ耐久試験装置並びに、特許文献３の粘着力測定装置など、有形物を限定することで測定精度と測定者による測定バラツキを軽減できる様々な力量測定装置が発明されている。
【０００７】
しかし、前途にあげた有形物を限定して開発された様々な力量測定装置は、測定できる有形物が限定されるので、異なる有形物を精度よく測定することができない欠点がある。また、測定者の測定バラツキを軽減し、誰でもが同じ精度で測定できるようにするためには、専用の力量測定装置を使用する必要があり、測定したい有形物が多くなると、有形物ごとに専用の力量測定装置をそろえなればといけず、コストアップとなる課題がある。
【０００８】
本発明の目的は、上記課題を解決し、様々な有形物の力量測定に対応でき、測定者の測定バラツキを軽減し、誰でもが同じ精度で測定できる上、操作が簡単で安価な力量測定装置を提供することである。
【課題を解決するための手段】
【０００９】
入力される移動指令に基づき上下に可動するメカシリンダと、力量を感知し数値で表示するフォースゲージとを一対に組み合わせ、前記メカシリンダによる押力または引力から前記フォースゲージの感知部に被検体物の力量を伝えることで、力量値の変動を読み取る    プログラムを有する情報処理装置に接続可能な力量測定装置であって、前記情報処理装置には前記メカシリンダの動作速度の範囲を０．０１ｍｍ／秒から１２５ｍｍ／秒の間で設定できる設定画面と、加速度の範囲を０．００１Ｇから０．５Ｇの間で設定できる設定画面と、前記メカシリンダの移動位置を多数設定できる設定画面を移動動作設定モードに備え、速度と加速度と移動位置の組み合わせにより力量測定ができる力量測定装置である。
【００１０】
前記移動動作設定モードに動作を繰り返すための繰返し回数が設定できる力量測定装置である。
【００１１】
解析開始位置と解析終了位置の設定範囲内での最大ピーク値を表示する解析モードが備えた力量測定装置である。
【００１２】
前記最大応力値に到達する手前の山ピーク値や谷ピーク値を表示する解析モードが備えた力量測定装置である。
【００１３】
前記解析開始位置から解析終了位置の設定範囲内で測定したデータ値をグラフとして表示する機能を備えるとともに、前記グラフ上に解析モード名とピーク値を表示させる力量測定装置である。
【００１４】
力量設定値の範囲を超えると動作が停止する安全停止モードが備えられた力量測定装置である。
【００１５】
最大ピーク値や山ピーク値、谷ピーク値以外の解析モードを自在に組み込めるようにプログラム追加登録機能を備えたことを特徴とする請求項１乃至請求項６のいずれか１項に記載の力量測定装置である。
【発明の効果】
【００１６】
本発明は、入力される移動指令に基づき上下に可動するメカシリンダと、力量を感知し数値で表示するフォースゲージとを一対に組み合わせ、前記メカシリンダによる押力または引力から前記フォースゲージの感知部に被検体物の力量を伝えることで、力量値の変動を読み取る    プログラムを有する情報処理装置に接続可能な力量測定装置であって、前記情報処理装置には前記メカシリンダの動作速度の範囲を０．０１ｍｍ／秒から１２５ｍｍ／秒の間で設定できる設定画面と、加速度の範囲を０．００１Ｇから０．５Ｇの間で設定できる設定画面と、前記メカシリンダの移動位置を多数設定できる設定画面を移動動作設定モードに備え、速度と加速度と移動位置の組み合わせにより力量測定ができる力量測定装置であるので、様々な有形物の力量測定に対応でき、測定者の測定バラツキを軽減し、誰でもが同じ精度で測定でき、操作が簡単で安価な力量測定装置を提供することである。
【００１７】
また、前記移動動作設定モードに動作を繰り返すための繰返し回数が設定できる力量測定装置であるので、押しボタン式のスイッチやキーボードなどのキーのようなものの耐久性や押す力の変化を把握したい時などに活用出来る機能を備えた力量測定装置を提供することである。
【００１８】
解析開始位置と解析終了位置の設定範囲内での最大ピーク値を表示する解析モードが備えた力量測定装置であるので、前記最大ピーク値をコンピュータが認識し数値で表示する機能を有する力量測定装置を提供することである。
【００１９】
前記最大応力値に到達する手前の山ピーク値や谷ピーク値を表示する解析モードが備えた力量測定装置であるので、どのような変化が表れたのかを数値の変化で読み取り解析することができる力量測定装置を提供することである。
【００２０】
前記解析開始位置から解析終了位置の設定範囲内で測定したデータ値をグラフとして表示する機能を備えるとともに、前記グラフ上に解析モード名とピーク値を表示させる力量測定装置であるので、表示されたグラフを確認するだけで、どのような変動が表れているのかをグラフをみただけで、誰でもが把握し解析することができる力量測定装置を提供することである。
【００２１】
力量設定値の範囲を超えると動作が停止する安全停止モードが備えられた力量測定装置であるので、破壊したくない被検体物や謝って手指を挟み込んだ場合でも、安全に使用できる力量測定装置を提供することである。
【００２２】
最大ピーク値や山ピーク値、谷ピーク値以外の解析モードを自在に組み込めるようにプログラム追加登録機能を備えた力量測定装置であるので、嵌合強度や破壊強度、剥離強度や耐久性強度、弾性力強度などの一般的に考えられる測定以外の有形物を対象とした特殊な力量測定であっても、プログラム追加登録機能を設けているので、独自にプログラムを追加登録することで、様々な力量を解析することが可能となる力量測定装置を提供することである。
【図面の簡単な説明】
【００２３】
【図１】本発明の実施形態１を示す概略構成図である。
【図２】図１を動作した状態を示す概略構成図である。
【図３】モニタの画面に表示される移動動作設定と解析設定を示すイメージ図である。
【図４】モニタの画面に表示される測定解析結果を示すイメージ図である。
【発明を実施するための形態】
【００２４】
図１及び図２において、本発明の力量測定装置Ａは、ステッピングモーターにより駆動するメカシリンダ２と前記メカシリンダ２による押力または引力から力量を感知部１ａで感知し数値で表示するデジタルフォースゲージ１と動作を制御し力量値の変動を読み取るプログラムを有する情報処理装置４からなる力量測定装置Ａである。前記メカシリンダ２とデジタルフォースゲージ１は、一軸の動きで被検体物３の力量の測定ができるようにするため、図１に示すように、一軸のライン上に、メカシリンダ２とデジタルフォースゲージ１を一対に組み合わせて設置し、コンピュータなどの情報処理装置４からの指令により、上下または、左右に押力したり引力したりする装置となる。デジタルフォースゲージ１は、ＵＳＢケーブルなどの接続部材によりコンピュータなどの情報処理装置４へ接続される。また、メカシリンダ２は、シリアル接続により直接コンピュータなどの情報処理装置４へ接続してもよく、また、ＵＳＢ−シリアル変換器ｂを利用してＵＳＢケーブルなどの接続部材によりコンピュータなどの情報処理装置４へ接続を行ってもよい。複数本のＵＳＢケーブルは、ＵＳＢハブａを利用することで、情報処理装置４へは１本のＵＳＢケーブルで接続することもできる。更に、前記コンピュータなどの情報処理装置４には、メカシリンダ２へ移動指令を伝えるためにキーボードやゲームパット６、マウスなどが接続されている。
【００２５】
図１及び図３に示すように、動作を制御し力量値の変動を読み取り解析するプログラムが前記情報処理装置４内に組み込まれている。前記プログラムには、メカシリンダ２をどのような速度や加速度で、どのようなタイミングで、どれぐらい可動させるのかなどを、前もって指定したり選択することができる移動動作設定モード７ａする設定画面７をモニタ５へ表示し設定することができる。図３に示すように、モニタ５内に写し出された前記移動動作設定モード７ａを利用して予め決められた条件を指定したり選択することで、誰もが同じ条件のもと同じ精度で力量測定を、ボタン１つをプッシュするなどの簡単操作で実施することができる。
【００２６】
例えば、図３に示す設定画面７の中に、前記メカシリンダ２の動作速度を０．０１ｍｍ／秒から１２５ｍｍ／秒の間で速度を入力または選択できる移動速度項目が、移動動作設定モード７ａ内に備えられている。また、０．００１Ｇから０．５Ｇの間の加速度を入力または選択できる加速度項目が移動動作設定モード７ａ内に備えられている。更に、前記情報処理装置４から移動速度と加速度をメカシリンダ２に指令することで、メカシリンダ２が指令の内容に従い可動を行うことができる。更に、メカシリンダ２が動作を開始する前の待機位置の設定をする場合、図３に示すように、画面の中の名称に待機位置と入力し、動作開始前にメカシリンダ２をどの位置で停止させておくか、適正な待機位置を画面の中の移動先項目に直接数値を入力することも可能であるが、図１及び図２に示すように、直接数値を入力せずゲームパット６などの十字キー６ａで上昇または下降させることにより設定することもできる。加速度については基本値の０．５Ｇが入力されているが、数値を変更することも可能である。
【００２７】
次に、図３に示すように、メカシリンダ２の次の動作の設定を２行目へ行う。例えば、容器と蓋の嵌合値を測りたい場合は、名称に嵌合と入力し、先程のメカシリンダ２の待機位置からどの範囲まで、メカシリンダ２を上昇または下降をさせることで嵌合されるのかその位置を移動先の距離、移動速度、加速度などを入れる。２行目で設定した動作の次にどのような動作を実施させるのか、３行目へ設定を実施する。例えば、３行目の動作設定例として、２行目で嵌合値の測定動作を実施したので、測定終了後の位置から待機位置まで戻る時の設定を行う。この場合、戻るだけでの動作になるので、移動速度と加速度は最高値の移動速度１２５ｍｍ／秒、加速度０．５Ｇに設定しておくと、測定時間の短縮ができる。４行目以上の動作設定を移動動作設定モード７ａへ登録する場合は、各行に設けられた行の挿入項目の中の挿入ボタンをゲームパット６などの決定ボタンでプッシュすることで、選択した行の下へ新しい未入力のものが挿入されることになる。不要であれば、各行に設けられた行の削除項目の中の削除ボタンで不要な行を削除することも可能である。
【００２８】
以上のように、本発明の力量測定装置Ａは、前記メカシリンダ２の移動位置毎に移動先を多数設定できる設定画面７が移動動作設定モード７ａの移動先項目として備えている。前記移動先項目には、直接移動する位置を数値やゲームパット６などの十字キー６ａで指定位置まで移動させることで、移動位置が設定できるところと、一度登録した移動位置を再度指定したい時に、例えば一つ目の動作位置、二つ目の動作位置、三つ目の動作位置から再び、二つ目の動作位置に戻りたい場合などに、２と数値を選択することで、指定した動作を実行することができる。
【００２９】
よって、移動速度と加速度と移動先の組み合わせにより膨大なバリエーションの動作組み合わせ可能となり、様々な要求にそえることができる力量測定装置Ａとなる。例えば、破壊強度や引張力強度、粘着力や弾性力、果物の熟し具合や、食パンやゼリーなどの柔らかさなど様々な被検体物３の力量測定に対応できる力量測定装置Ａとして提供することができる。また、被検体物３専用に開発された高額な装置を数台保有せずとも、本発明の力量測定装置Ａ１台で様々な有形物の力量測定に対応できるのであるので設備コストの削減ができ、更に、測定者の測定バラツキをなくし、誰でもが同じ精度で測定でき、操作が簡単で安価な力量測定装置Ａを提供することが可能である。
【００３０】
本発明の力量測定装置Ａには、図３に示すように、前記移動動作設定モード７ａに動作を繰り返すための繰返し回数を入力または選択できる繰返し回数項目が備えられている。例えば、押しボタン式のスイッチやキーボードなどのキーのようなものの耐久性などを把握したい時に繰返し回数項目に繰返す回数を数値で入力したり、予め登録されている数値から繰返し回数を選択して選ぶことにより、前記移動動作設定モード７ａ内に登録した条件を繰返し動作させる機能を備えた力量測定装置Ａである。
【００３１】
また、本発明の力量測定装置Ａには、図３に示すように、前記移動動作設定モード７ａに測定動作直前にデジタルフォースゲージ１を０にリセットするゼロリセット項目を備えている。例えば、押しボタン式のスイッチやキーボードなどのキーのようなものの耐久性などを把握したい時などに１回目の測定が終わったあと１回目のピーク値は表示されたままとなるが、２回目の測定に入る前などに、デジタルフォースゲージ１を自動で０にリセットする機能を備えることで、繰返し正確な数値を自動で取得していくことが可能になる。また、ゼロリセット機能は、図１及び図２に示すように、ゲームパット６などのボタンキー６ｂに予め割り当てることにより、手動で操作する場合にボタンキー６ｂをワンプッシュする操作のみで、誰でも簡単にフォースゲージの値を０にすることも可能である。
【００３２】
更に、本発明の力量測定装置Ａには、図３に示すように、前記移動動作設定モード７ａに前記移動動作前の待ち時間をタイマー設定するか、しないかを選択できるタイマー使用項目とタイマー使用する場合にタイマーの待ち時間を設定する、待ち時間項目が備えられている。例えば、容器などにキャップを嵌め込む作業をするようなオートメーション化された工程内でタイマー使用をすることで、容器とキャップのセット作業をしながら、同時に嵌合値を測ることが可能な力量測定装置Ａを提供することができる。
【００３３】
また、本発明の力量測定装置Ａには、設定画面７の中に、図３に示すように解析設定モード７ｂが設けられている。前記解析設定モード７ｂには、予め３つの解析モード７ｂ３が解析モード７ｂ３項目の中で選択できるように備えられている。１つ目は、図４の解析結果グラフ表示８ａ内に示すように、最大ピーク値ｋ１を表示する解析モード７ｂ３である。前記解析設定モード７ｂの位置Ａ項目には解析開始位置７ｂ１を入力し、前記解析設定モード７ｂの位置Ｂ項目には解析終了位置７ｂ２を入力することで、前記解析開始位置７ｂ１と前記解析終了位置７ｂ２の設定範囲内での最大ピーク値ｋ１を表示する解析モード７ｂ３が備えられている。よって、最大ピーク値ｋ１を選択すれば、解析範囲内での最大応力値をコンピュータが認識して表示を行うため、例えば、被検体物３のき裂先端の応力値を読み取ることも可能であり、破壊強度や材料の曲げ強度などの力量測定に使用できる力量測定装置Ａである。
【００３４】
更に、図３の前記解析モード７ｂ３には、図４の解析結果グラフ表示８ａ内に示すように前記最大応力値に到達する手前の山ピーク値ｋ２や谷ピーク値ｋ３を表示する解析モード７ｂ３が備えられている。例えば、容器にキャップを嵌める場合、容器とキャップが嵌合しようとするためにアンダーカットとなる凸部を乗り越えようとした時にもっとも力量がかかる応力値を山ピーク値ｋ２として読み取ることができるものである。また、容器とキャップがアンダーカットとなる凸部を乗り越えて、容器とキャップがあたってお互いに嵌め合いが進まなくなる手前であって、力量がいったん落ち、そこから再び立ち上がり力量が増していくところの、力量が落ちた谷部分となるところを谷ピーク値ｋ３として読み取ることができる。１つの被検体物３に対して、複数箇所のピーク値を測定したい場合は、１度の測定で複数の解析モード７ｂ３を設定することも可能で、例えば、解析設定モード７ｂの１行目に山ピーク値ｋ２、２行目に谷ピーク値ｋ３、３行目に最大モードを登録しておくことで、各々のピーク値を取得することができるものである。これによって、破壊強度や嵌合強度が同時に測定できたり、弾性力強度や粘着力などの力量測定に使用できる力量測定装置Ａである。
【００３５】
また、前記解析設定モード７ｂには、図３に示すように閾値を設定できる判定値モード項目が備えられてする。閾値とは、ユーザーの使い方や好み、動作環境により大きく異なり、プログラムを制御するために一意に決めることが難しい動作条件を与えるための情報であるパラメータに対して使用する値である。コンピュータに的確な指示をするためには、ユーザーの使い方や好み、動作環境などにより大きく異なってしまう場合などにその値を境にして上にまたは下に越えることで、動作や応答が変わるような場合に、測定者自身が閾値を決めて入力する場所を前記解析設定モード７ｂの判定値モード項目として設けている。閾値となる判定値モードの決め方の参考例としては、測定者が想定するピークを判定できる解析モード７ｂ３を測定して取得した数値や力量の変化を表した解析結果グラフ表示８ａなどから読み取り判断することで、測定者自身が閾値となる判定値を決定することができる。
【００３６】
更に、前記解析開始位置７ｂ１から解析終了位置７ｂ２の設定範囲内で測定した力量変化を取得したデータ値を解析結果グラフ表示８ａする機能を図４に示す解析結果表示画面８に備えている。また、前記解析結果グラフ表示８ａ内に解析モード名とピーク値を表示させることができるので、前記解析結果グラフ表示８ａを確認するだけで、どのような力量変動が表れているのかを把握し解析することができる力量測定装置Ａである。
【００３７】
更に、図４に示す解析結果表示画面８のデータ項目には、図３に示す解析モード７ｂ３で選択した解析結果を数値で表示する解析結果ピーク値表示８ｂが備えられている。また、解析結果表示画面８の中でも、図３に示した解析設定モード７ｂで設定した内容を確認することが可能な移動動作設定モード表示８ｃが表示される。前記移動動作設定モード表示８ｃは、表示されているだけでなく、解析結果表示画面８上で設定条件を変更することが可能になるように設定されている。
【００３８】
また、図３に示すように、解析設定モード７ｂの判定値モード項目には、判定値が結果判定値内になった場合測定を中止する機能が備えられている。結果判定値から数値がはずれた時点で測定が中止されるので、測定動作が停止し安全停止モードとして機能する効果を備えている。よって、破壊したくない被検体物３や誤って手指を挟み込んでしまうような被検体物３を測定する場合でも、前もって、判定値モードに測定中止を選択しておけば、結果判定値から数値がはずれた時点で測定が中止されるので、誰でもが安全に使用できる力量測定装置Ａを提供することができる。更に、本発明の力量測定装置Ａの装置本体自体にも、安全停止ボタンが備えられているので、安心である。
【００３９】
また、本発明の力量測定装置Ａの装置本体は、図１及び図２に示すようにパソコンなどの前記情報処理装置４内にＵＳＢ接続することができ、測定して取得したデータ値を測定名称毎にフォルダーを作成し、前記フォルダー内にＣＳＶ形式で保存することができる機能を備えた力量測定装置Ａである。よって、ＣＳＶ形式で読み取れるソフトウェアを使用することで、取得したデータを外部へ書き出して活用することができる。
【００４０】
更に、最大ピーク値ｋ１や山ピーク値ｋ２、谷ピーク値ｋ３以外の解析モード７ｂ３を自在に組み込めるようにプログラム追加登録機能を図３に示す解析設定モード７ｂの解析モード７ｂ３に備えている。前記解析モード７ｂ３の中にあるその他のピーク値を選択することで、新規の解析モード７ｂ３のプログラムを登録できる画面が表示される。これを利用することにより、最大ピーク値ｋ１や山ピーク値ｋ２、谷ピーク値ｋ３以外の解析モード７ｂ３を自在に組み込めるようにできるものである。よって、嵌合強度や破壊強度、剥離強度や耐久性強度、弾性力強度などの一般的に考えられる測定以外の有形物を対象とした特殊な力量測定であっても、プログラム追加登録機能を設けているので、独自にプログラムを追加登録することで、様々な力量を解析モード７ｂ３へ登録することが可能となり、使い勝手の良い力量測定装置Ａを提供することができる。
【符号の説明】
【００４１】
１      デジタルフォースゲージ
１ａ    感知部
２      メカシリンダ
３      被検体物
４      情報処理装置
５      モニタ
６      ゲームパット
６ａ    十字キー
６ｂ    ボタンキー
７      設定画面
７ａ    移動動作設定モード
７ｂ    解析設定モード
７ｂ１  解析開始位置
７ｂ２  解析終了位置
７ｂ３  解析モード
８      解析結果表示画面
８ａ    解析結果グラフ表示
８ｂ    解析結果ピーク値表示
８ｃ    移動動作設定モード表示
Ａ      力量測定装置
ａ      ＵＳＢハブ
ｂ      ＵＳＢ−シリアル変換器
ｋ１    最大ピーク値
ｋ２    山ピーク値
ｋ３    谷ピーク値